(57)【要約】【課題】オンラインショッピングモールを構成する仮想店舗同士で相互に利用者を増やす。【解決手段】店舗サーバ２０−１〜２０−３は、オンラインショッピングモールを構成する他の仮想店舗のショッピングサイトへリンクするリンク部分を自己の仮想店舗のショッピングサイトの画面に貼り付けるサイト画面生成部２０５と、リンク部分ごとに、リンク先の他の仮想店舗の情報を管理するリンク情報管理部２０６と、リンク部分が利用者端末１０に選択されると、リンク先およびリンク元の自己の仮想店舗の情報をモール管理サーバ４０に送信するリンク情報送信部２０８とを有する。モール管理サーバ４０は、仮想店舗２１−１〜２１−３ごとに、リンク元およびリンク先となった履歴を管理する履歴管理部４０８と、仮想店舗２１−１〜２１−３ごとに、リンク元になった回数に応じた出店料金を管理する出店料金管理部４１０とを有する。【選択図】図１
2007249494.tif 000002
【特許請求の範囲】
【請求項１】
利用者端末と、オンラインショッピングモールを構成する複数の仮想店舗のショッピングサイトをそれぞれ開設する複数の店舗サーバと、システム全体を管理するモール管理サーバとを有してなるオンラインショッピングモールシステムであって、
前記複数の店舗サーバのそれぞれは、オンラインショッピングモールを構成する他の仮想店舗のショッピングサイトへリンクするリンク部分を自己の仮想店舗のショッピングサイトの画面に貼り付け、当該自己の仮想店舗のショッピングサイトの画面を前記利用者端末に送信するサイト画面生成部を有する、オンラインショッピングモールシステム。
【請求項２】
前記複数の店舗サーバのそれぞれは、
自己の仮想店舗のショッピングサイトの画面に貼り付けられたリンク部分ごとに、当該リンク部分のリンク先のショッピングサイトを開設する他の仮想店舗の情報を管理するリンク情報管理部と、
自己の仮想店舗のショッピングサイトの画面に貼り付けられたリンク部分が前記利用者端末に選択されると、選択されたリンク部分のリンク先のショッピングサイトを開設する他の仮想店舗の情報と、リンク元のショッピングサイトを開設する自己の仮想店舗の情報とを前記モール管理サーバに送信するリンク情報送信部とをさらに有し、
前記モール管理サーバは、
前記複数の店舗サーバの各々から送信されてきた情報に基づいて、前記複数の仮想店舗ごとに、当該仮想店舗のショッピングサイトがリンク元およびリンク先となった履歴を管理する履歴管理部と、
前記複数の仮想店舗ごとに、当該仮想店舗のショッピングサイトがリンク元になった回数に応じた出店料金を管理する出店料金管理部とを有する、請求項１に記載のオンラインショッピングモールシステム。
【請求項３】
利用者端末と、オンラインショッピングモールを構成する複数の仮想店舗のショッピングサイトをそれぞれ開設する複数の店舗サーバと、システム全体を管理するモール管理サーバとによる仮想店舗管理方法であって、
前記店舗サーバが、オンラインショッピングモールを構成する他の仮想店舗のショッピングサイトへリンクするリンク部分を自己の仮想店舗のショッピングサイトの画面に貼り付けるステップと、
前記店舗サーバが、自己の仮想店舗のショッピングサイトの画面を前記利用者端末に送信するステップとを有する、仮想店舗管理方法。
【請求項４】
前記店舗サーバが、自己の仮想店舗のショッピングサイトの画面に貼り付けられたリンク部分ごとに、当該リンク部分のリンク先のショッピングサイトを開設する他の仮想店舗の情報を管理するステップと、
前記店舗サーバが、自己の仮想店舗のショッピングサイトの画面に貼り付けられたリンク部分が前記利用者端末に選択されると、選択されたリンク部分のリンク先のショッピングサイトを開設する他の仮想店舗の情報と、リンク元のショッピングサイトを開設する自己の仮想店舗の情報とを前記モール管理サーバに送信するステップと、
前記モール管理サーバが、前記複数の店舗サーバの各々から送信されてきた情報に基づいて、前記複数の仮想店舗ごとに、当該仮想店舗のショッピングサイトがリンク元およびリンク先となった履歴を管理するステップと、
前記モール管理サーバが、前記複数の仮想店舗ごとに、当該仮想店舗のショッピングサイトがリンク元になった回数に応じた出店料金を管理するステップとをさらに有する、請求項３に記載の仮想店舗管理方法。
【発明の詳細な説明】
【技術分野】
【０００１】
本発明は、オンラインショッピングモールシステム、仮想店舗管理方法に関する。
【背景技術】
【０００２】
近年、インターネット上の複数の仮想店舗から構成されたオンラインショッピングモールが普及している（特許文献１参照）。
【０００３】
現実のショッピングモールでは、店舗のすぐ隣には別の店舗が存在するため、ショッピングモールを訪れる利用者には、様々な店舗を連続して訪れるという楽しみがある。そのため、多種多様な店舗を抱える現実のショッピングモールでは、店舗同士が相互に利用者を増やすことができ、その結果、個々の店舗の売り上げも伸ばすことができる。
【０００４】
これに対して、従来のオンラインショッピングモールでは、インターネットおよびｗｗｗブラウザの技術的特徴により、仮想店舗のショッピングサイトにアクセスするにはオンラインショッピングモールのトップページから一方通行でアクセスするしか方法がなかった。そのため、仮想店舗同士で相互に利用者を増やすという現実のショッピングモールにしばしば見られる効果を得ることはできなかった。
【０００５】
また、インターネット上では、複数の仮想店舗がオンラインショッピングモールという同一領域内にあるか、全く別の領域にあるかに拘わらず、ショッピングサイト間の移動は瞬時に行うことができる。
【０００６】
したがって、利用者にとっては、オンラインショッピングモールという同一領域内に複数の仮想店舗が存在することのメリットは少なく、それゆえに仮想店舗を出店する業者にとっても、オンラインショッピングモールに仮想店舗を出店するメリットが少ない。
【０００７】
このことから、インターネット上に仮想店舗を出店しようとする業者が、仮想店舗のショッピングサイトを個別に開設することが非常に多くなっている。そのため、モールの管理者にとっては、オンラインショッピングモールを構成する仮想店舗の数を増やすことができず、その結果、モール全体の売り上げを増やすことができない。
【特許文献１】特開２００１−３０６８４１号公報
【発明の開示】
【発明が解決しようとする課題】
【０００８】
上述したように従来のオンラインショッピングモールシステムにおいては、仮想店舗同士で相互に利用者を増やすことができないという課題と、オンラインショッピングモールを構成する仮想店舗の数を増やすことができないという課題がある。
【０００９】
そこで、本発明の目的は、オンラインショッピングモールを構成する仮想店舗同士で相互に利用者を増やすことができるオンラインショッピングモールシステム、仮想店舗管理方法を提供することにある。
【００１０】
また、本発明の他の目的は、オンラインショッピングモールを構成する仮想店舗の数を増やすことができるオンラインショッピングモールシステム、仮想店舗管理方法を提供することにある。
【課題を解決するための手段】
【００１１】
上記目的を達成するために本発明は、
利用者端末と、オンラインショッピングモールを構成する複数の仮想店舗のショッピングサイトをそれぞれ開設する複数の店舗サーバと、システム全体を管理するモール管理サーバとを有してなるオンラインショッピングモールシステムであって、
前記複数の店舗サーバのそれぞれは、オンラインショッピングモールを構成する他の仮想店舗のショッピングサイトへリンクするリンク部分を自己の仮想店舗のショッピングサイトの画面に貼り付け、当該自己の仮想店舗のショッピングサイトの画面を前記利用者端末に送信するサイト画面生成部を有することを特徴とする。
【００１２】
この構成によれば、複数の店舗サーバの各々が、オンラインショッピングモールを構成する他の仮想店舗のショッピングサイトへリンクするリンク部分を自己の仮想店舗のショッピングサイトの画面に貼り付けているため、複数の仮想店舗同士が相互に利用者を増やすことができ、その結果、複数の仮想店舗の個々の売り上げも伸ばすことができる。
【００１３】
また、前記複数の店舗サーバのそれぞれは、
自己の仮想店舗のショッピングサイトの画面に貼り付けられたリンク部分ごとに、当該リンク部分のリンク先のショッピングサイトを開設する他の仮想店舗の情報を管理するリンク情報管理部と、
自己の仮想店舗のショッピングサイトの画面に貼り付けられたリンク部分が前記利用者端末に選択されると、選択されたリンク部分のリンク先のショッピングサイトを開設する他の仮想店舗の情報と、リンク元のショッピングサイトを開設する自己の仮想店舗の情報とを前記モール管理サーバに送信するリンク情報送信部とをさらに有し、
前記モール管理サーバは、
前記複数の店舗サーバの各々から送信されてきた情報に基づいて、前記複数の仮想店舗ごとに、当該仮想店舗のショッピングサイトがリンク元およびリンク先となった履歴を管理する履歴管理部と、
前記複数の仮想店舗ごとに、当該仮想店舗のショッピングサイトがリンク元になった回数に応じた出店料金を管理する出店料金管理部とを有する、請求項１に記載のオンラインショッピングモールシステム。
【００１４】
この構成によれば、モール管理サーバが、複数の仮想店舗ごとに、その仮想店舗のショッピングサイトがリンク元およびリンク先となった履歴を管理し、その仮想店舗のショッピングサイトがリンク元になった回数に応じた出店料金を管理している。
【００１５】
したがって、リンク部分を積極的に貼り付ければ、そのリンク部分から利用者が他の仮想店舗へリンクする回数が増え、出品料金が下がるため、オンラインショッピングモールへ出店しようとする仮想店舗の数が増えると考えられ、その結果、モール自体の利用者が増え、さらには売り上げも増えると考えられる。
【発明の効果】
【００１６】
上記のように構成された本発明によれば、複数の店舗サーバの各々が、オンラインショッピングモールを構成する他の仮想店舗のショッピングサイトへリンクするリンク部分を自己の仮想店舗のショッピングサイトの画面に貼り付けているため、複数の仮想店舗同士が相互に利用者を増やすことができるという効果が得られる。
【発明を実施するための最良の形態】
【００１７】
以下に、本発明を実施するための最良の形態について図面を参照して説明する。
【００１８】
図１を参照すると、本実施形態のオンラインショッピングモールシステムは、利用者端末１０と、店舗サーバ２０−１〜２０−３と、店舗表示サーバ３０と、モール管理サーバ４０とを有し、これらがネットワーク５０を介して互いに接続されている。
【００１９】
本実施形態では、店舗サーバ２０−１〜２０−３がそれぞれ、オンラインショッピングモールを構成する仮想店舗２１−１〜２１−３のショッピングサイトを開設し、オンラインショッピングモールに仮想店舗２１−１〜２１−３を出店している。
【００２０】
なお、図１においては、説明の便宜のために、１つの利用者端末１０と３つの仮想店舗２１−１〜２１−３のみを図示しているが、利用者端末１０の数は複数でも良く、また、仮想店舗２１−１〜２１−３の数は２以上であれば特に制限はない。
【００２１】
ネットワーク５０は、利用者端末１０、店舗サーバ２０−１〜２０−３、店舗表示サーバ３０、およびモール管理サーバ４０が相互に通信するためのネットワークであり、通常はインターネットで実現される。なお、以下の記載では、ネットワーク５０を介して通信される情報は、特に、指定のない限りＨＴＭＬ言語で記述されているものとする。
【００２２】
利用者端末１０は、オンラインショッピングモールを利用する利用者により使用されるパーソナルコンピュータ等の情報処理装置である。
【００２３】
利用者端末１０は、ネットワーク５０上のサイトを閲覧可能なＷＷＷブラウザ１０１を備えており、ＷＷＷブラウザ１０１を利用してネットワーク５０上のサイトにアクセスし、そのサイトのサイト画面を表示し、そのサイト画面上で入力・選択等を行う機能を有するものとする。なお、利用者端末１０は、本発明の本質的な部分ではなく、ＷＷＷブラウザ１０１を備え、上記機能を有していれば良いため、詳細な構成の説明は省略する。
【００２４】
店舗サーバ２０−１〜２０−３は、それぞれオンラインショッピングモールに仮想店舗２１−１〜２１−３を出店する異なる業者により運営され、ワークステーション・サーバ等の情報処理装置である。
【００２５】
店舗サーバ２０−１は、通信部２０１と、商品情報ＤＢ２０２と、テンプレートＤＢ２０３と、店舗情報ＤＢ２０４と、サイト画面生成部２０５と、リンク情報管理部２０６と、リンク情報ＤＢ２０７と、リンク情報送信部２０８とを有している。なお、店舗サーバ２０−２，２０−３も、店舗サーバ２０−１と同様の構成であるが、以下では、店舗サーバ２０−１の構成について説明する。
【００２６】
通信部２０１は、ネットワーク５０とのインタフェース部分である。
【００２７】
商品情報ＤＢ２０２は、自己の仮想店舗２１−１が提供する商品の種類・価格・機能等の商品情報を格納し、また、テンプレートＤＢ２０３は、利用者端末１０に送信するショッピングサイトのサイト画面の画面生成用のテンプレートを格納し、また、店舗情報ＤＢ２０４は、自己の仮想店舗２１−１および他の仮想店舗２１−２，２１−３のＩＤやショッピングサイトのＵＲＬ等の店舗情報を格納する。
【００２８】
サイト画面生成部２０５は、テンプレートＤＢ２０３に格納されたテンプレートを用いて、自己の仮想店舗２１−１のショッピングサイトのサイト画面を生成し、通信部２０１からネットワーク５０を介して利用者端末１０に送信する。具体的には、サイト画面生成部２０５は、商品情報ＤＢ２０２に格納された商品情報を掲載したサイト画面や、利用者から商品の購入申し込みを受け付けるサイト画面等を生成する。
【００２９】
さらに、サイト画面生成部２０５は、自己の仮想店舗２１−１のショッピングサイトのサイト画面に、他の仮想店舗２１−２，２１−３のショッピングサイトへリンクするリンク部分を貼り付ける。なお、サイト画面生成部２０５は、リンク部分には、店舗情報ＤＢ２０４に格納された店舗情報に基づいて、そのリンク部分のリンク先のショッピングサイトを開設する他の仮想店舗２１−２，２１−３のＩＤやショッピングサイトのＵＲＬ等を設定する。
【００３０】
リンク情報管理部２０６は、自己の仮想店舗２１−１のショッピングサイトのサイト画面に貼り付けられたリンク部分ごとに、そのリンク部分のリンク先のショッピングサイトを開設する他の仮想店舗２１−２，２１−３のＩＤやショッピングサイトのＵＲＬ等を、リンク情報ＤＢ２０７に登録し管理する。
【００３１】
リンク情報送信部２０８は、自己の仮想店舗２１−１のショッピングサイトのサイト画面に貼り付けられたリンク部分が利用者端末１０の利用者により選択されると、利用者端末１０の利用者の情報と、リンク先のショッピングサイトを開設する他の仮想店舗２１−２，２１−３の情報（ＩＤ等）と、リンク元のショッピングサイトを開設する自己の仮想店舗２１−１の情報（ＩＤ等）とをモール管理サーバ４０に送信する。
【００３２】
さらに、リンク情報送信部２０８は、利用者端末１０の利用者によりクリックされたリンク部分のリンク先のショッピングサイトへ移動するための情報（ＵＲＬ等）を、利用者端末１０に送信する。この情報を基にして、利用者端末１０のｗｗｗブラウザ１０１が自動的にリンク先のショッピングサイトにアクセスすることになる。
【００３３】
すなわち、本実施形態においては、利用者端末１０の利用者は、仮想店舗２１−１〜２１−３間を移動する際に、オンラインショッピングモールのトップページに戻らなくても、ＨＴＭＬのリンクの仕組みを用いて、仮想店舗２１−１〜２１−３間を相互に移動することができる。そのため、仮想店舗２１−１〜２１−３同士が相互に利用者を増やすことができ、その結果、仮想店舗２１−１〜２１−３の個々の売り上げも伸ばすことができる。
【００３４】
図２を参照すると、例えば、利用者端末１０の利用者は、店舗表示サーバ３０を介して仮想店舗２１−１へアクセスした後、仮想店舗２１−１からリンク２２−１を辿って仮想店舗２１−２へ移動し、仮想店舗２１−２からリンク２２−２を辿って仮想店舗２１−３へ移動し、仮想店舗２１−３からリンク２２−３を辿って仮想店舗２１−１へ移動するといったことも可能になる。また、仮想店舗２１−１〜２１−３間の相互の移動の際には、リンク元の店舗サーバからモール管理サーバ４０に対し、上述したリンク元およびリンク先の仮想店舗の情報等が送信される。なお、リンク方向は、図２の場合に限らず、その逆の方向とすることも可能である。
【００３５】
店舗表示サーバ３０は、オンラインショッピングモールシステムの管理者により運営されるワークステーション・サーバ等の情報処理装置である。
【００３６】
店舗表示サーバ３０は、通信部３０１と、店舗情報ＤＢ３０２と、テンプレートＤＢ３０３と、サイト画面生成部３０４と、リンク情報送信部３０５とを有している。
【００３７】
通信部３０１は、ネットワーク５０とのインタフェース部分である。
【００３８】
店舗情報ＤＢ３０２は、仮想店舗２１−１〜２１−３のＩＤやショッピングサイトのＵＲＬ等の店舗情報を格納し、また、テンプレートＤＢ３０３は、利用者端末１０に送信するサイト画面の画面生成用のテンプレートを格納する。
【００３９】
サイト画面生成部３０４は、テンプレートＤＢ３０３に格納されたテンプレートを用いて、店舗情報ＤＢ３０２に格納された店舗情報に基づいて仮想店舗２１−１〜２１−３の一覧を掲載したサイト画面を生成し、通信部３０１からネットワーク５０を介して利用者端末１０に送信する。
【００４０】
リンク情報送信部３０５は、仮想店舗２１−１〜２１−３の一覧を掲載したサイト画面において利用者端末１０の利用者によりいずれかの仮想店舗が選択されると、選択された仮想店舗のショッピングサイトへアクセスするための情報（ＵＲＬ等）を、利用者端末１０に送信する。この情報を基にして、利用者端末１０のｗｗｗブラウザ１０１が自動的にショッピングサイトにアクセスすることになる。
【００４１】
モール管理サーバ４０は、オンラインショッピングモールシステムの管理者により運営され、オンラインショッピングモールシステム全体を管理するワークステーション・サーバ等の情報処理装置である。
【００４２】
モール管理サーバ４０は、通信部４０１と、テンプレートＤＢ４０２と、利用者情報ＤＢ４０３と、店舗情報ＤＢ４０４と、サイト画面生成部４０５と、認証部４０６と、リンク判定部４０７と、履歴管理部４０８と、履歴ＤＢ４０９と、出品料金管理部４１０と、出品料金ＤＢ４１１とを有している。
【００４３】
通信部４０１は、ネットワーク５０とのインタフェース部分である。
【００４４】
テンプレートＤＢ４０２は、利用者端末１０に送信するサイト画面の画面生成用のテンプレートを格納し、また、利用者情報ＤＢ４０３は、利用者端末１０の利用者が登録したＩＤおよびパスワード等の利用者情報を格納し、また、店舗情報ＤＢ４０４は、仮想店舗２１−１〜２１−３のＩＤやショッピングサイトのＵＲＬ等の店舗情報を格納する。
【００４５】
サイト画面生成部４０５は、テンプレートＤＢ４０２に格納されたテンプレートを用いて、利用者端末１０の利用者を認証するための認証用のサイト画面等を生成し、通信部４０１からネットワーク５０を介して利用者端末１０に送信する。
【００４６】
認証部４０６は、利用者端末１０の利用者のＩＤおよびパスワードが送信されてくると、利用者情報ＤＢ４０３に格納された利用者情報に基づいて、利用者端末１０の利用者の認証を行う。
【００４７】
リンク判定部４０７は、店舗サーバ２０−１〜２０−３からリンク元およびリンク先の仮想店舗の情報が送信されてくると、店舗情報ＤＢ４０４に格納された店舗情報に基づいて、リンク元およびリンク先の仮想店舗の正当性の判定を行う。
【００４８】
履歴管理部４０８は、店舗サーバ２０−１〜２０−３の各々から送信されてきたリンク元およびリンク先の仮想店舗の情報に基づいて、仮想店舗２１−１〜２１−３ごとに、その仮想店舗のショッピングサイトがリンク元およびリンク先となった履歴を、履歴ＤＢ４０９に登録し管理する。
【００４９】
出店料金管理部４１０は、仮想店舗２１−１〜２１−３ごとに、その仮想店舗のショッピングサイトがリンク元になった回数に応じた出店料金を、出品料金ＤＢ４１１に登録し管理する。
【００５０】
ここで、出店料金管理部４１０が管理するオンラインショッピングモールへの出品料金（ここでは、月額出店料金とする）について説明する。
【００５１】
図３を参照すると、例えば、ある仮想店舗が、ショッピングサイトに上述のリンク部分をまったく貼り付けていない場合や、リンク部分を貼り付けていても利用者に全く利用されていない場合は、出店料金は通常のｐ０となる。しかし、上述のリンク部分の利用が増えるにしたがって出店料金は除々に下がっていくものとする。
【００５２】
したがって、リンク部分を積極的に貼り付ければ、そのリンク部分から利用者が他の仮想店舗へリンクする回数が増え、出品料金が下がるため、オンラインショッピングモールへ出店しようとする仮想店舗の数が増えると考えられ、その結果、モール自体の利用者が増え、さらにはモール全体の売り上げも増えると考えられる。
【００５３】
以下、本実施形態のオンラインショッピングモールシステムの動作について、図４のフローチャートを参照して説明する。
【００５４】
まず、利用者は、利用者端末１０のｗｗｗブラウザ１０１を利用して、ネットワーク５０上のオンラインショッピングモールの入り口である店舗表示サーバ３０にアクセスする（ステップ４０１）。
【００５５】
次に、店舗表示サーバ３０のサイト画面生成部３０４は、仮想店舗２１−１〜２１−３の一覧を掲載したサイト画面を利用者端末１０に送信する（ステップ４０２）。
【００５６】
ここで、利用者は、利用者端末１０のｗｗｗブラウザ１０１を利用して、仮想店舗２１−１〜２１−３の一覧の中から仮想店舗２１−１を選択したとする（ステップ４０３）。
【００５７】
次に、店舗表示サーバ３０のリンク情報送信部３０５は、仮想店舗２１−１のショッピングサイトへアクセスするための情報（仮想店舗２１−１のショッピングサイトのＵＲＬ等）を利用者端末１０に送信する（ステップ４０４）。
【００５８】
次に、利用者端末１０のｗｗｗブラウザ１０１は、店舗表示サーバ３０から送信されてきた情報に基づいて仮想店舗２１−１のショッピングサイトへ自動的にアクセスする（ステップ４０５）。
【００５９】
次に、店舗サーバ２０−１のサイト画面生成部２０５は、仮想店舗２１−１のショッピングサイトのサイト画面を利用者端末１０に送信する（ステップ４０６）。以降、店舗サーバ２０−１のサイト画面生成部２０５は、利用者の要求に応じて、商品情報を掲載したサイト画面や、商品の購入申し込みを受け付けるサイト画面等を適宜送信する。
【００６０】
ここで、利用者は、利用者端末１０のｗｗｗブラウザ１０１を利用して、仮想店舗２１−１のショッピングサイトのサイト画面において、他の仮想店舗２１−２のショッピングサイトへリンクするリンク部分を選択したとする（ステップ４０７）。
【００６１】
次に、店舗サーバ２０−１のリンク情報送信部２０８は、利用者端末１０の利用者の情報と、リンク元の自己の仮想店舗２１−１の情報（ＩＤ等）と、リンク先の他の仮想店舗２１−２の情報（ＩＤ等）とをモール管理サーバ４０に送信する（ステップ４０８）。
【００６２】
次に、モール管理サーバ４０では、認証部４０６が利用者端末１０の利用者の認証を行い、また、リンク判定部４０７が、リンク元およびリンク先の仮想店舗の正当性の判定を行う（ステップ４０９）。
【００６３】
利用者を認証する方法としては、例えば、利用者のＩＤおよびパスワードを予め利用者情報ＤＢ４０３に格納しておき、ステップ４０８で店舗サーバ２０−１から情報が送信されてきた時点で利用者のＩＤおよびパスワードを入力するためのサイト画面をサイト画面生成部４０５から利用者端末１０に送信し、そこに入力されたＩＤおよびパスワードが利用者情報ＤＢ４０３に予め格納したものと一致するか否かに応じて認証を行う方法がある。または、ステップ４０１で利用者端末１０が店舗表示サーバ３０にアクセスした時点で利用者のＩＤおよびパスワードを入力するためのサイト画面をサイト店舗表示サーバ３０から利用者端末１０に送信し、そこに入力されたＩＤおよびパスワードを店舗表示サーバ３０からモール管理サーバ４０へ転送することもできる。または、利用者端末１０のＣｏｏｋｉｅ機能を利用し、セッション情報として利用者のＩＤおよびパスワードを利用者端末１０に記憶させておき、ステップ４０１で店舗表示サーバ３０にアクセスした時点で利用者のＩＤおよびパスワードを自動的に利用者端末１０から店舗表示サーバ３０に送信することもできる。
【００６４】
また、仮想店舗の正当性を判定する方法としては、例えば、仮想店舗２１−１〜２１−３の各々に一意にＩＤを割り当て、店舗情報ＤＢ４０４に格納しておき、ステップ４０８で店舗サーバ２０−１から送信されてきたリンク元およびリンク先の仮想店舗のＩＤが店舗情報ＤＢ４０４に予め格納したものと一致するか否かに応じて正当性の判定を行う方法がある。
【００６５】
認証部４０６により利用者が正当に認証され、また、リンク判定部４０７によりリンク元およびリンク先の仮想店舗の正当性が判定されると、履歴管理部４０８は、利用者端末１０の利用者が仮想店舗２１−１をリンク元とし仮想店舗２１−２をリンク先としたリンクを利用したという履歴を、仮想店舗２１−１，２１−２ごとに履歴ＤＢ４０９に登録する（ステップ４１０）。また、出店料金管理部４１０は、仮想店舗２１−１がリンク元になった回数が増えたため、仮想店舗２１−１の出店料金を図３に応じて変更し、出品料金ＤＢ４１１に登録する（ステップ４１１）。
【００６６】
また、認証部４０６は、利用者が正当に認証されたことを示す認証結果を店舗サーバ２０−１に送信し、リンク判定部４０７は、リンク元およびリンク先の仮想店舗の正当性が判定されたことを示す判定結果を店舗サーバ２０−１に送信する（ステップ４１２）。
【００６７】
次に、店舗サーバ２０−１のリンク情報送信部３０５は、仮想店舗２１−２のショッピングサイトへアクセスするための情報（仮想店舗２１−２のショッピングサイトのＵＲＬ等）を利用者端末１０に送信する（ステップ４１３）。
【００６８】
次に、利用者端末１０のｗｗｗブラウザ１０１は、店舗サーバ２０−１から送信されてきた情報に基づいて仮想店舗２１−２のショッピングサイトへ自動的にアクセスする（ステップ４１４）。
【００６９】
次に、店舗サーバ２０−２のサイト画面生成部２０５は、仮想店舗２１−１のショッピングサイトのサイト画面を利用者端末１０に送信する（ステップ４１５）。以降、店舗サーバ２０−２のサイト画面生成部２０５は、利用者の指示に応じて、商品情報を掲載したサイト画面や、商品の購入申し込みを受け付けるサイト画面等を適宜送信する。
【００７０】
上述したように本実施形態においては、店舗サーバ２０−１〜２０−３のそれぞれが、オンラインショッピングモールを構成する他の仮想店舗のショッピングサイトへリンクするリンク部分を自己の仮想店舗のショッピングサイトの画面に貼り付けている。
【００７１】
そのため、仮想店舗２１−１〜２１−３が従来のオンラインショッピングモールのように独立したものではなくなり、仮想店舗２１−１〜２１−３同士が相互に利用者を増やすことができ、その結果、仮想店舗２１−１〜２１−３の個々の売り上げも伸ばすことができる。
【００７２】
また、本実施形態においては、モール管理サーバ４０が、仮想店舗２１−１〜２１−３ごとに、その仮想店舗のショッピングサイトがリンク元およびリンク先となった履歴を管理し、その仮想店舗のショッピングサイトがリンク元になった回数に応じた出店料金を管理している。
【００７３】
したがって、リンク部分を積極的に貼り付ければ、そのリンク部分から利用者が他の仮想店舗へリンクする回数が増え、出品料金が下がるため、オンラインショッピングモールへ出店しようとする仮想店舗の数が増えると考えられ、その結果、モール自体の利用者が増え、さらには売り上げも増えると考えられる。
【００７４】
なお、本実施形態においては、利用者が仮想店舗のショッピングサイトに貼り付けられたリンク部分を利用してリンクを行った場合、その利用者がリンク先で購入した商品の購入金額を履歴ＤＢ４０９に登録しても良い。この場合、履歴ＤＢ４０９に登録する情報量は大きくなるが、これによって恣意的な選択をある程度排除できる。
【図面の簡単な説明】
【００７５】
【図１】本発明の一実施形態のオンラインショッピングモールシステムの構成を示す図である。
【図２】図１に示した仮想店舗間の移動の概念を説明する図である。
【図３】図１に示した出品料金管理部にて管理する仮想店舗の出店料金の一例を示す図である。
【図４】図１に示したオンラインショッピングモールシステムの動作を説明するフローチャートである。
【符号の説明】
【００７６】
１０    利用者端末
２０−１〜２０−３    店舗サーバ
３０    店舗表示サーバ
４０    モール管理サーバ
５０    ネットワーク
１０１    ＷＷＷブラウザ
２０１    通信部
２０２    商品情報ＤＢ
２０３    テンプレートＤＢ
２０４    店舗情報ＤＢ
２０５    サイト画面生成部
２０６    リンク情報ＤＢ
２０７    リンク情報管理部
２０８    リンク情報送信部
３０１    通信部
３０２    店舗情報ＤＢ
３０３    テンプレートＤＢ
３０４    サイト画面生成部
３０５    リンク情報送信部
４０１    通信部
４０２    テンプレートＤＢ
４０３    利用者情報ＤＢ
４０４    店舗情報ＤＢ
４０５    サイト画面生成部
４０６    認証部
４０７    リンク判定部
４０８    履歴管理部
４０９    履歴ＤＢ
４１０    出品料金管理部
４１１    出品料金ＤＢ
【図１】
2007249494.tif 000003
【図２】
2007249494.tif 000004
【図３】
2007249494.tif 000005
【図４】
2007249494.tif 000006